(57)【要約】【課題】温度が変化しても第１の報知情報の表示開始タイミングと、第２の報知情報の出力開始タイミングを近づけることが可能な車両用表示装置を得ること。【解決手段】第１の報知情報を表示する液晶表示パネル１と、前記第１の報知情報に関連した第２の報知情報を提供する報知手段２，３と、液晶表示パネル１と報知手段２，３の動作を制御する制御手段６とを備えた車両用表示装置において、温度を検出する温度検出手段４を有し、制御手段６は所定の報知条件が成立すると、温度検出手段４からの温度情報に基づいて遅延時間ＤＴを設定し、この遅延時間ＤＴが経過した後、液晶表示パネル１による第１の報知情報の表示開始に合わせて報知手段２，３による第２の報知情報の表示を開始させる。【選択図】図１
2010280345.tif 000002
【特許請求の範囲】
【請求項１】
第１の報知情報を表示する液晶表示パネルと、前記第１の報知情報に関連した第２の報知情報を提供する報知手段と、前記液晶表示パネルと報知手段の動作を制御する制御手段とを備えた車両用表示装置において、前記液晶表示パネルもしくはその周囲の温度を検出する温度検出手段を有し、前記制御手段は所定の報知条件が成立すると、前記温度検出手段からの温度情報に基づいて遅延時間を設定し、この遅延時間が経過した後、前記液晶表示パネルによる前記第１の報知情報の表示開始に合わせて前記報知手段による前記第２の報知情報の表示を開始させることを特徴とする車両用表示装置。
【請求項２】
温度に応じた前記液晶表示パネルの表示応答時間を記憶する記憶手段を有し、前記制御手段は所定の報知条件が成立すると、前記温度情報と前記記憶手段に記憶されている前記表示応答時間とに基づいて前記遅延時間を設定することを特徴とする請求項１記載の車両用表示装置。
【発明の詳細な説明】
【技術分野】
【０００１】
本発明は、例えば自動車やオートバイに搭載される車両用表示装置に関するものである。
【背景技術】
【０００２】
この種の車両用表示装置として、例えば下記特許文献１に記載されているものが知られている。この車両用表示装置は、第１の報知情報を表示する液晶表示パネルと、第１の報知情報に関連した第２の報知情報を光源の発光や聴覚情報の出力によって提供する発光式表示器やスピーカ、ブザー等からなる報知手段と、液晶表示パネルと報知手段の動作を制御する例えばマイクロコンピュータからなる制御手段とを備えている。
【０００３】
制御手段は報知条件、例えばシートベルトセンサからの情報に基づいてシートベルトの未装着なる条件が成立したと判断すると、液晶表示パネルには、第１の報知情報としてシートベルトの着用を促すメッセージを表示させ、報知手段には、第２の報知情報としてシートベルトの未着用を示すシンボルマークを発光表示させたり、シートベルトの着用を促す音声（音）を出力させるようになっており、制御手段は、これら第１、第２の報知情報の出力開始タイミングが同じになるように第１、第２の報知情報の出力指令信号を出力する。
【先行技術文献】
【特許文献】
【０００４】
【特許文献１】特開２００８−１７５９６７号公報（図３，図４）
【発明の開示】
【発明が解決しようとする課題】
【０００５】
しかしながら、液晶表示パネルの応答速度には温度依存性があり、低温時における応答速度は遅くなるという傾向がある。このため制御手段が第１、第２の報知情報の出力開始タイミングが同じになるように出力指令信号を出力しても液晶表示パネルの温度依存性に伴う応答速度の変化により、第１の報知情報の表示開始タイミングが変化し、特に低温時は第１の報知情報の出力開始タイミングと第２の報知情報の出力開始タイミングとがずれてしまうことがあった。
【０００６】
本発明は、この点に鑑みてなされたもので、液晶表示パネルによる第１の報知情報の表示開始タイミングと、液晶表示パネル以外の報知手段による第２の報知情報の出力開始タイミングを近づけることが可能な車両用表示装置を得ることを目的とするものである。
【課題を解決するための手段】
【０００７】
本発明は、前記目的を達成するため、第１の報知情報を表示する液晶表示パネルと、前記第１の報知情報に関連した第２の報知情報を提供する報知手段と、前記液晶表示パネルと報知手段の動作を制御する制御手段とを備えた車両用表示装置において、前記液晶表示パネルもしくはその周囲の温度を検出する温度検出手段を有し、前記制御手段は所定の報知条件が成立すると、前記温度検出手段からの温度情報に基づいて遅延時間を設定し、この遅延時間が経過した後、前記液晶表示パネルによる前記第１の報知情報の表示開始に合わせて前記報知手段による前記第２の報知情報の表示を開始させることを特徴とする。
このように構成することにより、液晶表示パネルもしくはその周囲の温度が変化しても液晶表示パネルによる第１の報知情報の表示開始タイミングと、報知手段による第２の報知情報の出力開始タイミングを近づけることができる。
【０００８】
また本発明は、温度に応じた前記液晶表示パネルの表示応答時間を記憶する記憶手段を有し、前記制御手段は所定の報知条件が成立すると、前記温度情報と前記記憶手段に記憶されている前記表示応答時間とに基づいて前記遅延時間を設定することを特徴とする。
このように構成することにより、温度情報に基づく表示応答時間を加味して遅延時間を設定できるため、採用される液晶表示パネルの温度特性に即したタイミング制御が可能となる。
【発明の効果】
【０００９】
本発明によれば、初期の目的を達成でき、液晶表示パネルもしくはその周囲の温度が変化しても液晶表示パネルによる第１の報知情報の表示開始タイミングと、液晶表示パネル以外の報知手段による第２の報知情報の出力開始タイミングを近づけることが可能な車両用表示装置を得ることができる。
【図面の簡単な説明】
【００１０】
【図１】本発明の一実施形態による車両用表示装置のシステム構成を示すブロック図。
【図２】同実施形態による制御手段の処理を示すフロー図。
【図３】同実施形態による表示・報知開始タイミングを示す説明図。
【発明を実施するための形態】
【００１１】
図１において、本発明の一実施形態による車両用表示装置は、例えば自動車の計器装置内に組み込まれるもので、液晶表示パネル１と、発光式表示器（報知手段）２と、発音素子（報知手段）３と、温度検出手段４と、記憶手段５と、制御手段６とを備えている。
【００１２】
液晶表示パネル１は、制御手段６の制御のもと、車両状態に係わる様々な情報を例えばドットマトリックス式もしくはセグメント式の表示画素にて表示する周知の液晶パネルである。
【００１３】
この液晶表示パネル１は、車両状態に係わる各種情報として、例えば車速、エンジン回転数、燃料残量、エンジン冷却水温、外気温、走行距離、瞬間・平均燃費、航行可能距離を表示する他、本実施形態では、第１の報知情報として、シートベルトの装着状態に係わる情報を例えば「シートベルトを装着してください」なる文字情報にて表示するもので、後述する報知条件の成立時（シートベルトの未着用時）、乗員にシートベルトの着用を促すものである。
【００１４】
発光式表示器２は、例えば光源である例えば発光ダイオードと、シートベルトの未装着を表す透光性の報知マークを有する表示板とを含み、制御手段６の制御のもと、前記報知条件の成立時に、前記発光ダイオードの発光により前記報知マークを光輝させることにより、前記第１の報知情報に関連した第２の報知情報として、乗員にシートベルトの着用を促すものである。
【００１５】
発音素子３は、例えばブザーやスピーカからなるもので、制御手段６の制御のもと、前記報知条件の成立時に、前記第１の報知情報に関連した他の第２の報知情報として、「ポーン、ポーン」なる報知音や「シートベルトを装着して下さい」なる音声を出力し、前記乗員にシートベルトの着用を促すものである。
【００１６】
温度検出手段４は、例えばサーミスタを適用でき、液晶表示パネル１もしくはその周囲に搭載され、液晶表示パネル１自体やその周囲の温度を検出し、温度情報として制御手段６に出力するものである。
【００１７】
記憶手段５は、各種ＲＯＭ、ＲＡＭ、フラッシュメモリ等を適用でき、液晶表示パネル１、発光式表示器２、発音素子３を動作させるに必要なプログラムやデータを格納している。なお記憶手段５は制御手段６に取り込むこともできる。
【００１８】
この記憶手段５は、具体的には、液晶表示パネル１に前記各種情報（車速、エンジン回転数、燃料残量、エンジン冷却水温、外気温、走行距離、瞬間・平均燃費、航行可能距離）や第１の報知情報を表示させるためのプログラムやデータ（画像データ）、発光式表示器２や発音素子３に第２の報知情報を出力（提供）させるためのプログラムやデータに加え、温度に応じた液晶表示パネル１の表示応答時間データを有している。なお前記表示応答時間データは、適用される液晶表示パネル１の温度特性や実験結果（データ）に基づくデータである。
【００１９】
制御手段６は、マイクロコンピュータを適用でき、例えばＣＡＮ通信入力端子を通じて車体ＥＣＵより前記各種情報、シートベルトの装着状態、ヘッドライトの点灯状態、ドアの開閉状態、シフトレバーの位置状態に係わる各種通信データを入力すると共に入力端子を通じて温度検出手段４によって検出された温度情報を入力し、これら通信データや温度情報を前記プログラムに従って処理し、液晶表示パネル１、発光式表示器２、発音素子３を作動させるものである。
【００２０】
次に図２に基づいて制御手段６によって実行させる報知処理の詳細を説明する。
【００２１】
制御手段６は、図２中、ステップＳ１にて、前記ＣＡＮ通信経由で入力する通信データに基づいて報知条件が成立したか否かを判定する。
【００２２】
報知条件が成立した場合（ＹＥＳ）は、ステップＳ２にて同期判定を行う。この同期判定は、液晶表示パネル１による前記第１の報知情報の表示開始タイミングと、発光式表示器２及び発音素子３による前記第２の報知情報の出力開始タイミングを合わせるか否かを判定するものである。
【００２３】
本実施形態ではステップＳ１でシートベルトの装着状態に係わる報知条件が成立したときのみ同期が必要（ＹＥＳ）と判断し、次のステップＳ３に進む。ステップＳ１での報知条件がシートベルトの装着状態に係わる報知条件でなかった場合（ＮＯ）、すなわちヘッドライトの点灯状態、ドアの開閉状態、シフトレバーの位置状態に係わる報知条件であった場合、ステップＳ４にて各状態に見合った報知出力を行わせるための指令信号を出力し、続くステップＳ５では、報知条件が終了したか否かが判定され、終了した場合（ＹＥＳ）はステップＳ６へ進む。
【００２４】
例えば、エンジンオフでライトを点灯したままドアを開けたときのように、ヘッドライトの点灯状態に係わる報知条件の場合は、ステップＳ４にて発音素子３による報知出力を促す指令信号出力のみを行い、ドアやトランク、ハッチ等が開状態であるときのように、ドアの開閉状態に係わる報知条件の場合は、ステップＳ４にて発光表示装置２とは別の発光表示装置の対応する光源を点灯させる報知出力を促す指令信号出力のみを行い、シフトレバーがリバース位置にあるときのように、位置シフトレバーの位置状態に係わる報知条件の場合は、ステップＳ４にて発音素子３による報知出力を促す指令信号出力のみを行う。なお例えばドアの開閉状態に係わる報知条件の場合に、別の発光表示装置による第２の報知情報の出力指令だけなく、発音素子３による第２の報知情報の出力や液晶表示パネル１による第１の報知情報の出力指令を行ってもよいが、この際、指令信号出力の同期や順序を考慮することなく、出力を行ってもよい。
【００２５】
ステップＳ３では、温度検出手段４の温度情報を取得し、続くステップ７では、ステップ３で取得した温度情報と、記憶手段５に記憶されている温度対応の前記表示応答時間データとから液晶表示パネル１またはその周囲の温度に応じた所定時間を求め、これを遅延時間ＤＴとして設定する。
【００２６】
続くステップＳ８では、液晶表示パネル１に前記第１の報知情報を表示させる第１の指令信号を出力する。この第１の指令信号の出力後、直ぐに前記第１の報知情報が液晶表示パネル１に表示されるわけではなく、実際は前記所定時間（＝遅延時間ＤＴ）の経過後に前記第１の報知情報が表示される。すなわち、前記第１の指令信号は、遅延時間ＤＴの計時が開始されるタイミングにて出力され、前記第１の報知情報は遅延時間ＤＴの計時が終了するタイミングにて液晶表示パネル１に表示される。
続くステップＳ９では、遅延時間ＤＴが経過した否かを判定し、経過した場合（ＹＥＳ）、ステップＳ１０で発光式表示器２に前記第２の報知情報を提供させる第２の指令信号を出力し、続くステップＳ１１で発音素子３に前記第２の報知情報を提供させる第３の指令信号を出力する。発光式表示器２と発音素子３の場合は、液晶表示パネル１のように温度影響を受けにくいため、前記第１，第２の指令信号の出力に合わせて発光式表示器２による前記第２の報知情報の発光表示と、発音素子３による第２の報知情報の出力とが開始される。
【００２７】
この結果、図３に示すように、警報条件が成立したタイミングＴ１から遅延時間ＤＴを経たタイミングＴ２にて、液晶表示パネル１による前記第１の報知情報の表示出力と、発光式表示器２による前記第２の報知情報の発光表示と、発音素子３による第２の報知情報の出力と同時且つ一斉に出力されるように認識される。
続くステップＳ１２では、報知条件が終了したか否かが判定され、終了した場合（ＹＥＳ）はステップＳ６へ進み、終了していない場合は、ステップＳ２に戻る。
【００２８】
以上のように本実施形態では、第１の報知情報を表示する液晶表示パネル１と、前記第１の報知情報に関連した第２の報知情報を提供する発光式表示器（報知手段）２，発音素子（報知手段）３と、液晶表示パネル１と発光式表示器２，発音素子３の動作を制御する制御手段６とを備えた車両用表示装置において、液晶表示パネル１もしくはその周囲の温度を検出する温度検出手段４を有し、制御手段６は所定の報知条件が成立すると、温度検出手段４からの温度情報に基づいて遅延時間ＤＴを設定し、この遅延時間ＤＴが経過した後、液晶表示パネル１による前記第１の報知情報の表示開始に合わせて発光式表示器２，発音素子３による第２の報知情報の出力を開始させることにより、所定の報知条件が成立（タイミングＴ１）してから温度情報に基づく遅延時間ＤＴを挟んで第１の報知情報と第２の報知情報の表示が開始（タイミングＴ２）されるため、液晶表示パネル１もしくはその周囲の温度が変化しても液晶表示パネル１による第１の報知情報の表示開始タイミング（タイミングＴ２）と、報知手段による第２の報知情報の出力開始タイミング（タイミングＴ２）を近づけることができる。
【００２９】
また本実施形態では、温度に応じた液晶表示パネル１の表示応答時間を記憶する記憶手段４を有し、制御手段６は所定の報知条件が成立すると、温度情報と記憶手段４に記憶されている前記表示応答時間とに基づいて遅延時間ＤＴを設定することにより、温度情報に基づく表示応答時間を加味して遅延時間ＤＴを設定できるため、採用される液晶表示パネル１の温度特性に即したタイミング制御が可能となる。
【００３０】
なお前記実施形態では、温度情報と記憶手段４に記憶されている前記表示応答時間とに基づいて遅延時間ＤＴを設定する例を示したが、例えばある特定の温度を閾値とし、検出温度が閾値より小さい場合と閾値以上の場合とで二種類の遅延時間を設定して出力開始のタイミングを合わせてもよいし、検出温度が閾値より小さい場合のみ、遅延時間を設定し、閾値以上の場合は遅延時間を設定せずに出力してもよく、温度検出手段４からの温度情報に基づいて遅延時間を設定することで、タイミングを合わせるものであれば、任意の構成が考えられる。
【符号の説明】
【００３１】
１  液晶表示パネル
２  発光式表示器（報知手段）
３  発音素子（報知手段）
４  温度検出手段
５  記憶手段
６  制御手段
ＤＴ  遅延時間
Ｔ１，Ｔ２  タイミング
【図１】
2010280345.tif 000003
【図２】
2010280345.tif 000004
【図３】
2010280345.tif 000005